(57)【要約】【課題】鉄塔の外側に足場を組むことなく、その鉄塔に第２の外壁パネルを容易に取り付けることができるエレベータ昇降路およびその構築方法を提供する。【解決手段】四隅に柱３を有し、その各柱３を横はり４ａ〜４ｄを介して連結して矩形の箱枠状に構成してなるユニットブロック２を複数上下に積み重ね、かつ締結具８で締結して鉄塔１を構築し、前記柱３と横はり４ａ，４ｄとで囲まれた面内に第１の外壁パネル２１を取り付け、上下に積み重なるブロック２の横はり４ａ，４ｄ間に第２の外壁パネル２２を取り付ける。ブロック２内には、その積み重ねの前に足場を組み付けておき、この足場を利用して当該ブロック２に第２の外壁パネル２２を仮取り付けし、この後、当該ブロック２の上に上側のブロック２を積み重ね、この積み重ね後に、前記足場を利用してブロック２の内側からの作業により前記第２の外壁パネル２２を本取り付けして固定する。【選択図】    図１
2005075470.tif 000002
【特許請求の範囲】
【請求項１】
四隅に柱を有し、その各柱を横はりを介して連結して矩形の箱枠状に構成してなるユニットブロックを複数上下に積み重ね、かつ互いに締結してなる鉄塔と、前記各ユニットブロックにおける前記柱と横はりとで囲まれた面内に取り付けられた第１の外壁パネルと、
上下に積み重ねられた下側のユニットブロックの横はりと上側のユニットブロックの横はりとの間に、ユニットブロックの内側からの作業で取り付けられた第２の外壁パネルと、
を具備することを特徴とするエレベータ昇降路。
【請求項２】
前記第１の外壁パネルは、前記ユニットブロックの柱および横はりに設けられた下地に、前記ユニットブロックの内側から前記下地に挿入されるボルトを有する締結具で前記下地に取り付けられ、前記第２の外壁パネルは、前記横はりに設けられた下地に、前記ユニットブロックの内側から前記下地に挿入されるボルトを有する締結具で前記横はりに取り付けられていることを特徴とする請求項１に記載のエレベータ昇降路。
【請求項３】
前記第２の外壁パネルは、下側のユニットブロックの横はりと上側のユニットブロックの横はりとの間を水密的に密封するパッキングを有することを特徴とする請求項１または２に記載のエレベータ昇降路。
【請求項４】
前記第２の外壁パネルの外側の表面には、前記パッキングを覆い隠す表面材が取り付けられ、この表面材の表面を意匠面としてあることを特徴とする請求項３に記載のエレベータ昇降路。
【請求項５】
四隅に柱を有し、その各柱を横はりを介して連結して矩形の箱枠状に構成してなるユニットブロックを複数上下に積み重ね、かつ締結具で締結して鉄塔を構築し、前記各ユニットブロックにおける前記柱と横はりとで囲まれた面内に第１の外壁パネルを取り付け、上下に積み重なる下側のユニットブロックの横はりと上側のユニットブロックの横はりとの間に第２の外壁パネルを取り付けてエレベータ昇降路を構築する方法であって、前記ユニットブロック内には、その積み重ねの前に足場を組み付けておき、この足場を利用して当該ユニットブロックに前記第２の外壁パネルを仮取り付けし、この後、当該ユニットブロックの上に上側のユニットブロックを積み重ね、この積み重ね後に、前記足場を利用してユニットブロックの内側からの作業により前記第２の外壁パネルを本取り付けして固定することを特徴とするエレベータ昇降路の構築方法。
【発明の詳細な説明】
【０００１】
【発明の属する技術分野】
この発明は、複数のユニットブロックを順次積み重ね、かつ互いに締結してなる鉄塔と、この鉄塔の外周に取り付けられる外壁パネルとで構成されるエレベータ昇降路およびその構築方法に関する。
【０００２】
【従来の技術】
例えば駅舎に据え付けるようなエレベータにあっては、複数のユニットブロックを順次積み重ね、かつ互いに締結して鉄塔とし、その鉄塔の外周に外壁パネルを取り付けてかごを昇降させる昇降路を構築する方法が採られることがある。
【０００３】
このような方法でエレベータ昇降路を構築する手順について説明すると、まず図３０に示すように、昇降路の骨格となる鉄塔１を構築する。この鉄塔１は複数のユニットブロック２を積み重ねてなる。各ユニットブロック２は、据え付け工数の省力化のために個々に分割されて現地に搬入される。
【０００４】
各ユニットブロック２は、図３１に示すように、四隅に配置する複数の柱３を複数の横はり４ａ〜４ｃで連結して六面立体形状の箱枠状に構成され、その上下面の四隅部分には接続プレート５が取り付けられている。なお、図３１（Ａ）はユニットブロック２の平面図、図３１（Ｂ）はユニットブロック２の正面図、図３１（Ｃ）はユニットブロック２の側面図である。
【０００５】
これらのユニットブロック２は、揚重手段６により据え付け位置７に順次積み上げられ、各ユニットブロック２の接続プレート５の相互が図３２に示すように、ボルト・ナットからなる締結具８で締結される。各ユニットブロック２の高さＬは、使用される位置や用途によりそれぞれ異なる。
【０００６】
鉄塔１には、図３０に示すように外壁１０が設けられる。この外壁１０は、図３３および図３４に示すように、各ユニットブロック２の各側面に設けられた断面が波形状をなす複数の第１の外壁パネル１２と、一方のユニットブロック２の第１の外壁パネル１２と他方のユニットブロック２の第１の外壁パネル１２との間の隙間に対向するように、各ユニットブロック２の各角部に設けられたアングル状の第２の外壁パネル１３とで構成されている。
【０００７】
各第１の外壁パネル１２は、ユニットブロック２の互いに対応する柱３間に跨って配置するように、現場搬入前にボルト・ナットからなる締結具１４でユニットブロック２の側面に取り付けられる。そしてユニットブロック２を積み上げて鉄塔１を構築した後に、図３５に示すように、鉄塔１の外側の互いに対応する二面側に足場１５を立て、この足場に作業員が乗り、各ユニットブロック２の角部外側に図３４に示すように第２の外壁パネル１３を締結具１８で取り付ける。なお、図３５（Ａ）は鉄塔１を上から見た平面図、図３５（Ｂ）は鉄塔１を正面から見た正面図である。
【０００８】
【発明が解決しようとする課題】
しかしながらこのような構築方法においては、第２の外壁パネル１３を取り付けるために、鉄塔１の外側の互いに対応する二面側に足場１５を立てなければならず、このため工期を短縮する上で不利となり、また鉄塔１の外側に足場１５を組むスペースがないような場合には、第２の外壁パネル１３を取り付けることができないこととなってします。
【０００９】
この発明はこのような点に着目してなされたもので、その目的とするところは、鉄塔の外側に足場を組むことなく、その鉄塔に第２の外壁パネルを容易に能率よく取り付けることができるエレベータ昇降路およびその構築方法を提供することにある。
【００１０】
【課題を解決するための手段】
請求項１の発明は、四隅に柱を有し、その各柱を横はりを介して連結して矩形の箱枠状に構成してなるユニットブロックを複数上下に積み重ね、かつ互いに締結してなる鉄塔と、前記各ユニットブロックにおける前記柱と横はりとで囲まれた面内に取り付けられた第１の外壁パネルと、上下に積み重ねられた下側のユニットブロックの横はりと上側のユニットブロックの横はりとの間に、ユニットブロックの内側からの作業で取り付けられた第２の外壁パネルとを具備することを特徴としている。
【００１１】
請求項２の発明は、前記第１の外壁パネルが、前記ユニットブロックの柱および横はりに設けられた下地に、前記ユニットブロックの内側から前記下地に挿入されるボルトを有する締結具で前記下地に取り付けられ、前記第２の外壁パネルが、前記横はりに設けられた下地に、前記ユニットブロックの内側から前記下地に挿入されるボルトを有する締結具で前記横はりに取り付けられていることを特徴としている。
【００１２】
請求項３の発明は、前記第２の外壁パネルが、下側のユニットブロックの横はりと上側のユニットブロックの横はりとの間を水密的に密封するパッキングを有することを特徴としている。
【００１３】
請求項４の発明は、前記第２の外壁パネルの外側の表面に、前記パッキングを覆い隠す表面材が取り付けられ、この表面材の表面を意匠面としてあることを特徴としている。
【００１４】
請求項５の発明は、四隅に柱を有し、その各柱を横はりを介して連結して矩形の箱枠状に構成してなるユニットブロックを複数上下に積み重ね、かつ締結具で締結して鉄塔を構築し、前記各ユニットブロックにおける前記柱と横はりとで囲まれた面内に第１の外壁パネルを取り付け、上下に積み重なる下側のユニットブロックの横はりと上側のユニットブロックの横はりとの間に第２の外壁パネルを取り付けてエレベータ昇降路を構築する方法であって、前記ユニットブロック内には、その積み重ねの前に足場を組み付けておき、この足場を利用して当該ユニットブロックに前記第２の外壁パネルを仮取り付けし、この後、当該ユニットブロックの上に上側のユニットブロックを積み重ね、この積み重ね後に、前記足場を利用してユニットブロックの内側からの作業により前記第２の外壁パネルを本取り付けして固定することを特徴としている。
【００１５】
【発明の実施の形態】
以下、この発明の実施の形態について図１〜図２９を参照して説明する。なお、従来の構成と対応する部分には同一符号を付してその重複する説明を省略する。
【００１６】
図１には第１の実施形態を示してあり、エレベータ昇降路Ｓは、複数のユニットブロック２を積み上げて構築した鉄塔１と、この鉄塔１の各ユニットブロック２の各側面に設けられた第１の外壁パネル２１と、各ユニットブロック２の積み上げ相互間の各側面に設けられた第２の外壁パネル２２とで構成されている。
【００１７】
各ユニットブロック２は、個々に分割されて現地に搬入され、その現地の据え付け位置において順次下から揚重手段により積み重ねられ、かつボルト・ナットからなる締結具８により互いに締結されている。
【００１８】
図２にはユニットブロック２の構造を示してある。図２（Ａ）はユニットブロック２の断面図、図２（Ｂ）はユニットブロック２の正面図、図２（Ｃ）はユニットブロック２の側面図である。
【００１９】
ユニットブロック２は、四隅に配置する柱３と、その並列する柱３間に架設された複数の横はり４ａ〜４ｄとで箱枠状に構成され、各柱３の上下の端面には接続プレート５が取り付けられている。
【００２０】
ユニットブロック２の前後の側面においては、図２（Ｂ）に示すように、その上下部のみに横はり４ａ，４ｄが架設され、左右の側面においては、図２（Ｃ）に示すように、その上下部と中間部とに横はり４ａ，４ｂ，４ｃ，４ｄが架設されている。
【００２１】
各横はり４ａ〜４ｄは、互いに対応して平行に並ぶ柱３間に水平に架設されているが、その各横はり４ａ〜４ｃは図２（Ａ）に示すように、柱３の外側の表面からユニットブロック２の内側にｋ寸法分だけずれる位置に架設されている。
【００２２】
図３にはユニットブロック２の横断面図を示してあり、この図３に示すように、各柱３の内側の互いに隣接する側面には、第１の外壁パネル２１を取り付けるためのたて下地２５が柱３の長手方向に沿ってほぼ垂直に取り付けられている。
【００２３】
図４にはユニットブロック２の一部の縦断面図を示してある。図４（Ａ）は、ユニットブロック２の前後の側面部分の断面図で、図４（Ｂ）はユニットブロック２の左右の側面部分の断面図である。
【００２４】
図４（Ａ），（Ｂ）に示すように、ユニットブロック２の最上部の横はり４ａの下面および最下部の横はり４ｄの上面には、第１の外壁パネル２１を取り付けるための横下地２６がそれぞれ横はり４ａ，４ｄの長手方向に沿ってほぼ水平に取り付けられているとともに、最上部の横はり４ａの内側面には、第２の外壁パネル２２を取り付けるための横下地２７が横はり４ａの長手方向に沿ってほぼ水平に取り付けられている。
【００２５】
前記たて下地２５は、ユニットブロック２の前後の側面においては、図４（Ａ）に示すように上下の横下地２６間に連続して延びるように取り付けられ、ユニットブロック２の左右の側面においては、図４（Ｂ）に示すように上部の横下地２６と中間部の横はり４ｂとの間、中間部の横はり４ｂ，４ｃ間、中間部の横はり４ｃと下部の横下地２６との間に分れて取り付けられている。
【００２６】
図５には、ユニットブロック２の前後の側面に外壁パネル２１を取り付けた状態を示してあり、外壁パネル２１は上部パネル２１ａ、中間パネル２１ｂ、下部パネル２１ｃとからなる。
【００２７】
上部パネル２１ａにおいては、上下縁部にコ字状に屈曲する折返し部３０，３１がそれぞれ形成され、中間パネル２１ｂにおいては、上縁部にクランク状に屈曲する折返し部３２が、下縁部にコ字状に屈曲する折返し部３３がそれぞれ形成され、下部パネル２１ｃにおいては、上縁部にクランク状に屈曲する折返し部３４が、下縁部にコ字状に屈曲する折返し部３５がそれぞれ形成されている。
【００２８】
上部パネル２１ａの上縁部の折返し部３０は、横はり４ａの下側の横下地２６に重なるよう衝き当てられ、この衝き当て部における横下地２６と折返し部３０とが図６に示すように、ボルト４０およびはめ込み式ナット４１からなる締結具４２により互いに締結されている。はめ込み式ナット４１は回り止め用のブラケット４３を有し、ボルト４０はユニットブロック２の内側から横下地２６および折返し部３０を貫通して前記ナット４１に螺挿され、その締め付けにより横下地２６と折返し部３０が互いに締結されている。なお、図６に示す４４はばね座金、４５は平座金である。
【００２９】
上部パネル２１ａの下縁部の折返し部３１は、上側の中間パネル２１ｂの上縁部の折返し部３２に嵌合され、この嵌合部における折返し部３１，３２の双方が図７に示すように、ボルト４０およびはめ込み式ナット４１からなる締結具４２により互いに締結されている。はめ込み式ナット４１は回り止め用のブラケット４３を有し、ボルト４０はユニットブロック２の内側から中間パネル２１ｂの折返し部３２および上部パネル２１ａの折返し部３１を貫通して前記ナット４１に螺挿され、その締め付けにより折返し部３１，３２の双方が互いに締結されている。なお、図７に示す４４はばね座金、４５は平座金である。
【００３０】
上側の中間パネル２１ｂの下縁部の折返し部３３は、下側の中間パネル２１ｂの上縁部の折返し部３２に嵌合され、この嵌合部における折返し部３２，３３の双方が図８に示すように、ボルト４０およびはめ込み式ナット４１からなる締結具４２により互いに締結されている。はめ込み式ナット４１は回り止め用のブラケット４３を有し、ボルト４０はユニットブロック２の内側から下側の中間パネル２１ｂの折返し部３２および上側の中間パネル２１ｂの折返し部３３を貫通して前記ナット４１に螺挿され、その締め付けにより折返し部３２，３３の双方が互いに締結されている。なお、図８に示す４４はばね座金、４５は平座金である。
【００３１】
下側の中間パネル２１ｂの下縁部の折返し部３３は、下部パネル２１ｃの上縁部の折返し部３４に嵌合され、この嵌合部における折返し部３３，３４の双方が図９に示すように、ボルト４０およびはめ込み式ナット４１からなる締結具４２により互いに締結されている。はめ込み式ナット４１は回り止め用のブラケット４３を有し、ボルト４０はユニットブロック２の内側から下部パネル２１ｃの折返し部３４および下側の中間パネル２１ｂの折返し部３３を貫通して前記ナット４１に螺挿され、その締め付けにより折返し部３３，３４の双方が互いに締結されている。なお、図９に示す４４はばね座金、４５は平座金である。
【００３２】
下部パネル２１ｃの下縁部の折返し部３５は、横はり４ｄの上側の横下地２６に重なるよう衝き当てられ、この衝き当て部における横下地２６と折返し部３５とが図１０に示すように、ボルト４０およびはめ込み式ナット４１からなる締結具４２により互いに締結されている。はめ込み式ナット４１は回り止め用のブラケット４３を有し、ボルト４０はユニットブロック２の内側から横下地２６および折返し部３５を貫通して前記ナット４１に螺挿され、その締め付けにより横下地２６と折返し部３５が互いに締結されている。なお、図１０に示す４４はばね座金、４５は平座金である。
【００３３】
前記各パネル２１ａ，２１ｂ，２１ｃの左右側の両端縁部には、図１１に示すように、コ字状に屈曲する折り返し部４８が形成され、これら折返し部４８は、柱３のたて下地２５に重なるよう衝き当てられ、この衝き当て部におけるたて下地２５と折返し部４８とが図１２に示すように、ボルト４０およびはめ込み式ナット４１からなる締結具４２により互いに締結されている。はめ込み式ナット４１は回り止め用のブラケット４３を有し、ボルト４０はユニットブロック２の内側からたて下地２５および折返し部４８を貫通して前記ナット４１に螺挿され、その締め付けによりたて下地２５と折返し部４８とが互いに締結されている。なお、図１２に示す４４はばね座金、４５は平座金である。
【００３４】
図１、図６〜図１１に示すように、上部パネル２１ａと最上部の横はり４ａとの間、上部パネル２１ａと中間パネル２１ｂとの間、上側の中間パネル２１ｂと下側の中間パネル２１ｂとの間、中間パネル２１ｂと下部パネル２１ｃとの間、下部パネル２１ｃと最下部の横はり４ｂとの間には、それぞれその相互間の隙間を水密状態に密封するシール材４６が詰め込まれている。
【００３５】
そして各パネル２１ａ，２１ｂ，２１ｃの両端側端面と柱３の側面との間の隙間内にシール材４６が詰め込まれ、これらシール材４６により前記隙間が水密状態に密封されている。
【００３６】
なお、各パネル２１ａ，２１ｂ，２１ｃの内面には図１３に示すようにそれぞれ補強部材５０を取り付けるようにしてもよい。また、各パネル２１ａ，２１ｂ，２１ｃの両端側の端面に図１４に示すようにそれぞれ切欠部５１を形成することも可能である。
【００３７】
図１５には、ユニットブロック２の左右の側面に外壁パネル２１を取り付けた状態を示してあり、ユニットブロック２の前後の側面の場合と同様に外壁パネル２１は上部パネル２１ａと中間パネル２１ｂと下部パネル２１ｃとからなる。
【００３８】
上部パネル２１ａにおいては、上下縁部にコ字状に屈曲する折返し部３０，３１がそれぞれ形成され、中間パネル２１ｂにおいては、上縁部にクランク状に屈曲する折返し部３２が、下縁部にコ字状に屈曲する折返し部３３がそれぞれ形成され、下部パネル２１ｃにおいては、上縁部にクランク状に屈曲する折返し部３４が、下縁部にコ字状に屈曲する折返し部３５がそれぞれ形成されている。
【００３９】
上部パネル２１ａの上縁部の折返し部３０は、横はり４ａの下側の横下地２６に重なるよう衝き当てられ、この衝き当て部における横下地２６と折返し部３０とが図１６に示すように、ボルト４０およびはめ込み式ナット４１からなる締結具４２により互いに締結されている。はめ込み式ナット４１は回り止め用のブラケット４３を有し、ボルト４０はユニットブロック２の内側から横下地２６および折返し部３０を貫通して前記ナット４１に螺挿され、その締め付けにより横下地２６と折返し部３０が互いに締結されている。なお、図１６に示す４４はばね座金、４５は平座金である。
【００４０】
上部パネル２１ａの下縁部の折返し部３１は、上側の中間パネル２１ｂの上縁部の折返し部３２に嵌合され、この嵌合部における折返し部３１，３２の双方が図７に示す場合と同様に、ボルト４０およびはめ込み式ナット４１からなる締結具４２により互いに締結されている。はめ込み式ナット４１は回り止め用のブラケット４３を有し、ボルト４０はユニットブロック２の内側から中間パネル２１ｂの折返し部３２および上部パネル２１ａの折返し部３１を貫通して前記ナット４１に螺挿され、その締め付けにより折返し部３１，３２の双方が互いに締結されている。
【００４１】
上側の中間パネル２１ｂの下縁部の折返し部３３は、下側の中間パネル２１ｂの上縁部の折返し部３２に嵌合され、この嵌合部における折返し部３２，３３の双方が図８に示す場合と同様に、ボルト４０およびはめ込み式ナット４１からなる締結具４２により互いに締結されている。はめ込み式ナット４１は回り止め用のブラケット４３を有し、ボルト４０はユニットブロック２の内側から下側の中間パネル２１ｂの折返し部３２および上側の中間パネル２１ｂの折返し部３３を貫通して前記ナット４１に螺挿され、その締め付けにより折返し部３２，３３の双方が互いに締結されている。
【００４２】
下側の中間パネル２１ｂの下縁部の折返し部３３は、下部パネル２１ｃの上縁部の折返し部３４に嵌合され、この嵌合部における折返し部３３，３４の双方が図９に示す場合と同様に、ボルト４０およびはめ込み式ナット４１からなる締結具４２により互いに締結されている。はめ込み式ナット４１は回り止め用のブラケット４３を有し、ボルト４０はユニットブロック２の内側から下部パネル２１ｃの折返し部３４および下側の中間パネル２１ｂの折返し部３３を貫通して前記ナット４１に螺挿され、その締め付けにより折返し部３３，３４の双方が互いに締結されている。
【００４３】
下部パネル２１ｃの下縁部の折返し部３５は、横はり４ｄの上側の横下地２６に重なるよう衝き当てられ、この衝き当て部における横下地２６と折返し部３５とが図１７に示すように、ボルト４０およびはめ込み式ナット４１からなる締結具４２により互いに締結されている。はめ込み式ナット４１は回り止め用のブラケット４３を有し、ボルト４０はユニットブロック２の内側から横下地２６および折返し部３５を貫通して前記ナット４１に螺挿され、その締め付けにより横下地２６と折返し部３５が互いに締結されている。なお、図１７に示す４４はばね座金、４５は平座金である。
【００４４】
上部パネル２１ａと最上部の横はり４ａとの間、上部パネル２１ａと中間パネル２１ｂとの間、上側の中間パネル２１ｂと下側の中間パネル２１ｂとの間、中間パネル２１ｂと下部パネル２１ｃとの間、下部パネル２１ｃと最下部の横はり４ｂとの間には、それぞれその相互間の隙間を水密状態に密封するシール材４６が詰め込まれている。
【００４５】
ユニットブロック２の左右の側面に適用される各パネル２１ａ，２１ｂ，２１ｃにおいては、図１４に示すようにその両端側の端面にそれぞれ切欠部５１が形成されている。そして図１５に示すように、中間部の横はり４ｂ，４ｃが上側および下側の中間パネル２１ｂにおける切欠部５１内に嵌合し、これにより各パネル２１ａ，２１ｂ，２１ｃの表面が面一となるように支持されている。
【００４６】
前記各パネル２１ａ，２１ｂ，２１ｃの左右側の両端縁部には、図１８に示すようにコ字状に屈曲する折り返し部４８が形成され、これら折返し部４８は、柱３のたて下地２５に重なるよう衝き当てられ、この衝き当て部におけるたて下地２５と折返し部４８とが図１９に示すように、ボルト４０およびはめ込み式ナット４１からなる締結具４２により互いに締結されている。はめ込み式ナット４１は回り止め用のブラケット４３を有し、ボルト４０はユニットブロック２の内側からたて下地２５および折返し部４８を貫通して前記ナット４１に螺挿され、その締め付けによりたて下地２５と折返し部４８とが互いに締結されている。なお、図１９に示す４４はばね座金、４５は平座金である。
【００４７】
そして各パネル２１ａ，２１ｂ，２１ｃの両端側端面と柱３の側面との間の隙間内にシール材４６が詰め込まれ、これらシール材４６により前記隙間が水密状態に密封されている。
【００４８】
第２の外壁パネル２２は、図１および図２０に示すように、積み重ねられた一方のユニットブロック２と他方のユニットブロック２との間の隙間、すなわち各ユニットブロック２の接続プレート５を重ね合わせることにより各ユニットブロック２における前後左右の各側面間に生じる隙間、さらに説明するとユニットブロック２における最上部の横はり４ａとその上に配置するユニットブロック２における最下部の横はり４ｄとの間の隙間内に組み込まれている。
【００４９】
図２１（Ａ）には、前記隙間内に外壁パネル２２を組み付けた状態を、図２１（Ｂ）には、前記隙間内に外壁パネル２２を組み付ける前の状態をそれぞれ示してある。
【００５０】
外壁パネル２２は、アングル材により断面がほぼ矩形をなす横長のビーム状に形成され、後縁部にはほぼ垂直に起立する接合壁２２ａが一体に形成されている。また、外壁パネル２２の内側には、外壁パネル２２の上下の撓みを防止する補強材２２ｂが取り付けられている。さらにこの外壁パネル２２の上面および下面には、ゴム等の弾性材からなる水密用のパッキング５４が取り付けられている。
【００５１】
図２１（Ｂ）に示すように、自由状態における下部のパッキング５４と上部のパッキング５４との間の間隔Ｌ１は、横はり４ａと横はり４ｄとの間の隙間の間隔Ｌ２より若干大きくなっている。そして外壁パネル２２が前記隙間内に挿入されたときに、パッキング５４が弾性的に圧縮して横はり４ａ，４ｄに密着し、これにより外壁パネル２２と横はり４ａ，４ｄとの間が水密状態に密封される。
【００５２】
横はり４ａ，４ｄ間に挿入された外壁パネル２２の接合壁２２ａは、横はり４ａに取り付けられた前記横下地２７に重なるよう衝き当てられ、この衝き当て部における横下地２７と接合壁２２ａとが図２１（Ａ）に示すように、ボルト４０およびはめ込み式ナット４１からなる締結具４２により互いに締結され、これにより外壁パネル２２が横はり４ａ，４ｂ間に固定されている。はめ込み式ナット４１は回り止め用のブラケット４３を有し、ボルト４０はユニットブロック２の内側から横下地２７および接合壁２２ａを貫通して前記ナット４１に螺挿され、その締め付けにより横下地２７と接合壁２２ａとが互いに締結されている。なお、図２１（Ａ）に示す４４はばね座金、４５は平座金である。
【００５３】
図２０に示すように、外壁パネル２２の両端側の端縁と接続プレート５の端縁との間の隙間にはシール材３６が詰め込まれ、これらシール材３６により前記隙間が水密状態に密封されている。
【００５４】
次に、このような構成のエレベータ昇降路Ｓを構築する手順について説明する。
【００５５】
まず、図２２に示すように、ユニットブロック２を現地に搬入する前に、そのユニットブロック２の互いに対向する横はり４ｂ間に単管６０を二本平行に掛け渡して金具６１で固定し、さらにこれら単管６０間に足場６２を水平に架設する。
【００５６】
また、そのユニットブロック２の前後左右の各側面には第１の外壁パネル２１を取り付けておく。このような作業を現地に搬入する必要数のユニットブロック２に対して現地搬入前に行なっておく。
【００５７】
このように組み立てた各ユニットブロック２を取り扱う際に、第１の外壁パネル２１が取り付けられたユニットブロック２の側面が地面と向う合うよう置かれる場合があるがある。この際、ユニットブロック２の柱３も意匠面の一つであるから柱３には養生が施されるが、その養生が薄く、地面の凹凸がその養生の厚みを超えるような場合もあるが、第１の外壁パネル２１は柱３の外側の側面からユニットブロック２の内側に所定の寸法だけ引っ込む位置に配置されており、このため地面の凹凸との接触を避けてその損傷を防止することができる。
【００５８】
積み重ねたユニットブロック２同士の水密を図るためのパッキング５４は、ユニットブロック２とは別個の第２の外壁パネル２２に取り付けられており、このため上述のユニットブロック２の取り扱いの際にそのパッキング５４を損傷するような恐れはない。
【００５９】
次に、前記各ユニットブロック２を現地に搬入し、図２３に示すように、一つのユニットブロック２を揚重手段６によりその現地の据え付け位置７に据え付ける。そしてそのユニットブロック２内に作業員が入り込んで前記足場６２の上に乗り、その作業員による作業で図２１および図２３に示すように、ユニットブロック２の最上部の各横はり４ａの上に第２の外壁パネル２２を配置して横下地２７に仮取り付けする。また、ユニットブロック２の四隅の各接続プレート５の上に図２４および図２５に示すようにパッキング（水密材）５５を取り付ける。
【００６０】
次に、前記ユニットブロック２の上に他の一つのユニットブロック２を揚重手段６を用いて積み重ねる。この積み重ねにより、図２４および図２６に示すように、下側のユニットブロック２の最上部の横はり４ａと上側のユニットブロック２の最下部の横はり４ｄとで第２の外壁パネル２２が挟み付けられる。
【００６１】
そしてこの際、ユニットブロック２の積み重ねの圧力で外壁パネル２２の上側のパッキング５４がＬ３の寸法、下側のパッキング５４がＬ４の寸法だけ押しつぶされ、これにより下側のユニットブロック２の横はり４ａと上側のユニットブロック２の横はり４ｄとの間の水密が図られる。
【００６２】
この後、横下地２７に仮取り付けしてある外壁パネル２２を、ボルト４０、はめ込み式ナット４１、ばね座金４４、平座金４５を用いて本取り付けして固定する。この作業は、足場６２に乗った作業員がユニットブロック２の内側から行なう。
【００６３】
また、図２０に示すように、外壁パネル２２の両端縁と接続プレート５の端縁との間の隙間内にシール材４６を詰め込む。これにより外壁パネル２２の両端縁と接続プレート５の端縁との間の水密が図られる。
【００６４】
下側のユニットブロック２の上に上側のユニットブロック２を積み重ねた際には、下側のユニットブロック２の接続プレート５の上のパッキング５５がその積み重ねの圧力で圧縮され、これにより互いに重なり合う下側の接続プレート５間の水密が図られる。
【００６５】
次に、互いに重なり合った接続プレート５の相互をボルト・ナットからなる図１に示す締結具８で締結して固定する。この作業は、足場６２に乗った作業員がユニットブロック２の内側から行なう。
【００６６】
このようにして必要数のユニットブロック２を順次積み重ね、上述の各作業を繰り返して所定の高さのエレベータ昇降路Ｓを構築する。上述の各作業は、すべてユニットブロック２の内側から行なうことができ、このため昇降路Ｓの外側に足場を組むような必要がなく、したがって足場を組むことが困難な狭いスペース現場であっても昇降路Ｓを構築することができ、また足場の組み付けが不要であるから、低コストでかつ短期間の工期で昇降路Ｓを構築することができる。
【００６７】
さらに、第１の外壁パネル２１は、ユニットブロック２の側面にその搬入前に予め取り付けておくことができ、またその外壁パネル２１とユニットブロック２との間の隙間にシール材４６を詰め込むシーリング作業および外壁パネル２１の各パネル２１ａ，２１ｂ，２１ｃ同士の継目部にシール材４６を詰め込むシーリング作業も搬入前に予め行なっておくことができ、このためより一層工期の短縮を図ることができる。
【００６８】
図２５には、第２の実施形態を示してあり、この実施形態においては、昇降路の意匠を変えるために、ユニットブロック２の四隅の柱３の断面形状が円形となっている。そしてこの円形の柱３の周面に、互いに直角をなす方向に突出するようにたて下地２５が取り付けられ、これらたて下地２５に第１の外壁パネル２１の端部が、ボルト４０、はめ込み式ナット４１、ばね座金４４、平座金４５を用いる締結具４２により固定されている。
【００６９】
図２６には、第３の実施形態を示してあり、この実施形態においては、昇降路の意匠を変えるために、ユニットブロック２の四隅の柱３の断面形状が矩形で、その対角線がユニットブロック２の側面に沿う姿勢に配置されている。そしてこの矩形の柱３の側面のうちのユニットブロック２の内側に向く側面にたて下地２５が取り付けられ、このたて下地２５の両側縁部に外壁パネル２１の端部が、ボルト４０、はめ込み式ナット４１、ばね座金４４、平座金４５を用いる締結具４２により固定されている。
【００７０】
図２７には、第４の実施形態を示してあり、この実施形態においては、昇降路の意匠性を高めるために、第２の外壁パネル２２の外側表面に表面板５６が取り付けられている。この表面板５６は、上下縁と横はり４ｄ，４ａとの間にＰ１，Ｐ２の寸法の隙間をあけて外壁パネル２２の外側表面に取り付けられている。
【００７１】
この構成によれば、外壁パネル２２の上下部のパッキング５４の大部分が表面板５６で覆い隠され、このため意匠性が向上する。
【００７２】
【発明の効果】
以上説明したようにこの発明によれば、鉄塔の外側に足場を組むことなく、その鉄塔に第２の外壁パネルを容易に能率よく取り付けることができる。
【図面の簡単な説明】
【図１】この発明の一実施形態によるエレベータ昇降路の一部を示す正面図。
【図２】エレベータ昇降路を構築するためのユニットブロックを示し、（Ａ）はそのユニットブロックの断面図、（Ｂ）は同じく正面図、（Ｃ）は同じく側面図。
【図３】ユニットブロックの柱に設けられたたて下地を示す断面図。
【図４】ユニットブロックの横はりに設けられた横下地とたて下地を示し、（Ａ）はユニットブロックの正面部分の断面図、（Ｂ）は同じく側面部分の断面図。
【図５】ユニットブロックの正面に第１の外壁パネルを取り付けた状態の断面図。
【図６】図５中のＡ１部の拡大断面図。
【図７】図５中のＡ２部の拡大断面図。
【図８】図５中のＡ３部の拡大断面図。
【図９】図５中のＡ４部の拡大断面図。
【図１０】図５中のＡ５部の拡大断面図。
【図１１】ユニットブロックの正面に第１の外壁パネルを取り付けた状態の平面から見た断面図。
【図１２】図１１中のＡ６部の拡大断面図。
【図１３】第１の外壁パネルを構成する各パネル材の裏面に補強材を取り付ける場合の例を示す断面図。
【図１４】第１の外壁パネルを構成する各パネル材の端面に切欠部を設ける場合の例を示す断面図。
【図１５】ユニットブロックの側面に第１の外壁パネルを取り付けた状態の断面図。
【図１６】図１５中のＡ７部の拡大断面図。
【図１７】図１５中のＡ８部の拡大断面図。
【図１８】ユニットブロックの側面に第１の外壁パネルを取り付けた状態の平面から見た断面図。
【図１９】図１８中のＡ９部の拡大断面図。
【図２０】ユニットブロックに第２の外壁パネルを取り付けた状態の正面図。
【図２１】第２の外壁パネルの構造を示し、（Ａ）は第２の外壁パネルをユニットブロックの横はり間に取り付けた状態の断面図、（Ｂ）は第２の外壁パネルをユニットブロックの横はり間に取り付ける前の状態の断面図。
【図２２】ユニットブロックの内部に足場を取り付けた状態を示し、（Ａ）はそのユニットブロックの断面図、（Ｂ）は同じく正面図、（Ｃ）は同じく側面図。
【図２３】ユニットブロックを現地に搬入して据え付けた状態を示す説明図。
【図２４】ユニットブロックの接続プレートの上にパッキングを取り付けた状態の平面図。
【図２５】ユニットブロックの接続プレートの上にパッキングを取り付けた状態の側面図。
【図２６】第２の外壁パネルをユニットブロックの横はり間に取り付けた状態の断面図。
【図２７】この発明の第２の実施形態を示す断面図。
【図２８】この発明の第３の実施形態を示す断面図。
【図２９】この発明の第４の実施形態を示す断面図。
【図３０】従来のエレベータ昇降路の構築方法を説明するための説明図。
【図３１】従来のエレベータ昇降路の構築に用いるユニットブロックを示し、（Ａ）はそのユニットブロックの平面図、（Ｂ）は同じく正面図、（Ｃ）は同じく側面図。
【図３２】そのユニットブロック相互の締結部の構造を示す側面図。
【図３３】そのユニットブロックの側面に設けられた外壁パネルの構造を示す側面から見た断面図。
【図３４】そのユニットブロックの側面に設けられた外壁パネルの構造を示す平面から見た断面図。
【図３５】従来の足場の設置状況を示す説明図。
【符号の説明】
１…鉄塔、２…ユニットブロック、３…柱、４ａ〜４ｄ…横はり、５…接続プレート、８…締結具、２１…第１の外壁パネル、２１ａ…上部パネル、２１ｂ…中間パネル、２１ｃ…下部パネル、２２…第２の外壁パネル、２５…たて下地、２６…横下地、２７…横下地、４０…ボルト、４１…はめ込み式ナット、４２…締結具、４３…ブラケット、４６…シール材、５４，５５…パッキング、６０…単管、６２…足場。
【図１】
2005075470.tif 000003
【図２】
2005075470.tif 000004
【図３】
2005075470.tif 000005
【図４】
2005075470.tif 000006
【図５】
2005075470.tif 000007
【図６】
2005075470.tif 000008
【図７】
2005075470.tif 000009
【図８】
2005075470.tif 000010
【図９】
2005075470.tif 000011
【図１０】
2005075470.tif 000012
【図１１】
2005075470.tif 000013
【図１２】
2005075470.tif 000014
【図１３】
2005075470.tif 000015
【図１４】
2005075470.tif 000016
【図１５】
2005075470.tif 000017
【図１６】
2005075470.tif 000018
【図１７】
2005075470.tif 000019
【図１８】
2005075470.tif 000020
【図１９】
2005075470.tif 000021
【図２０】
2005075470.tif 000022
【図２１】
2005075470.tif 000023
【図２２】
2005075470.tif 000024
【図２３】
2005075470.tif 000025
【図２４】
2005075470.tif 000026
【図２５】
2005075470.tif 000027
【図２６】
2005075470.tif 000028
【図２７】
2005075470.tif 000029
【図２８】
2005075470.tif 000030
【図２９】
2005075470.tif 000031
【図３０】
2005075470.tif 000032
【図３１】
2005075470.tif 000033
【図３２】
2005075470.tif 000034
【図３３】
2005075470.tif 000035
【図３４】
2005075470.tif 000036
【図３５】
2005075470.tif 000037